(57)【要約】【課題】複数の太さのケーブルに対応可能なノイズ除去装置を提供すること。【解決手段】ノイズ除去装置は、所定方向に延びるケーブル５０の周囲に取り付けられるものであり、ケーブル５０を収容可能な凹部３０を有する第１磁気コア１０と、凹部３０に挿入されることにより、第１磁気コア１０とケーブル５０を挟む役割を果たす第２磁気コア２０と、ケース９０を備えている。ケース９０は、第２磁気コア２０を第１磁気コア１０に挿入した状態を維持するためのホルダ部材として機能する。【選択図】図１
2009094373.tif 000002
【特許請求の範囲】
【請求項１】
所定方向に延びるケーブルの周囲に取り付けられるノイズ除去装置であって、
前記ケーブルを収容可能な凹部を有する第１磁気コアと、
該凹部に挿入されることにより、該第１磁気コアと前記ケーブルを挟む役割を果たす第２磁気コアと、
前記第２磁気コアを前記第１磁気コアに挿入した状態を維持するためのホルダ部材と
を備えるノイズ除去装置。
【請求項２】
前記第１磁気コアの前記凹部は、前記所定方向に直交する面内において少なくとも底部が曲線を呈するような断面形状を有している、請求項１記載のノイズ除去装置。
【請求項３】
前記第１磁気コアの前記凹部は、所定Ｒで規定されるような曲面を底部に有するものであり、前記第２磁気コアのうち前記第１磁気コアと共に前記ケーブルを挟持することとなる部分は前記所定Ｒと同一のＲで規定された曲面を有している、請求項２記載のノイズ除去装置。
【請求項４】
前記第１磁気コア及び前記第２磁気コアの少なくともいずれか一方は、前記ケーブルと接する部分に滑り止め加工を施してなるものである、請求項１乃至請求項３のいずれかに記載のノイズ除去装置。
【請求項５】
前記第１磁気コアは、前記所定方向に直交する面内において、略円形状の外形を有する、請求項１乃至請求項４のいずれかに記載のノイズ除去装置。
【請求項６】
前記第１磁気コアは、前記所定方向に直交する面内において、略楕円状の外形を有する、請求項１乃至請求項４のいずれかに記載のノイズ除去装置。
【請求項７】
前記第１磁気コアは、複数の磁性体ブロックからなる、請求項１乃至請求項６のいずれかに記載のノイズ除去装置。
【請求項８】
前記第１磁気コア及び前記第２磁気コアは、いずれもフェライトからなる、請求項１乃至請求項７のいずれかに記載のノイズ除去装置。
【請求項９】
前記ホルダ部材は、第１収容部及び第２収容部からなり、前記第１収容部と前記第２収容部に前記第１磁気コア及び前記第２磁気コアを少なくとも部分的に収容した状態で前記第１収容部と前記第２収容部を組み合わせてなるケースである、請求項１乃至請求項８記載のノイズ除去装置。
【請求項１０】
前記第１収容部及び前記第２収容部の一方は、前記第１磁気コア及び／又は前記第２磁気コアと対向する部分に、前記第１収容部及び前記第２収容部の他方に向けて該第１磁気コア及び／又は前記第２磁気コアを付勢する付勢手段が設けられている、請求項９記載のノイズ除去装置。
【請求項１１】
前記第１収容部及び前記第２収容部は、夫々、中空部を有する円筒又は箱をその中心軸を通る平面にて切断して得られるような形状を有しており、前記第１収容部及び前記第２収容部の少なくとも一方には、前記所定方向に延びるスリットの対が少なくとも１対形成されており、該１対のスリットで挟まれる部分は前記中空部内に向かって湾曲する湾曲部を構成されており、該湾曲部は前記付勢手段として機能する、請求項１０記載のノイズ除去装置。
【請求項１２】
前記第１収容部と前記第２収容部とは互いに係止する係止爪であって前記所定方向と直交する方向における相対距離を調整可能な係止爪を備えている、請求項９乃至請求項１１のいずれかに記載のノイズ除去装置。
【発明の詳細な説明】
【技術分野】
【０００１】
本発明は、ケーブルに外嵌されて、ケーブル上を伝播するノイズを除去するためのフェライトクランプなどのようなノイズ除去装置に関する。
【背景技術】
【０００２】
ノイズ除去装置は、磁性体の磁気損失を利用して信号伝達経路であるケーブル上に重畳されるノイズを除去するためのデバイスである（例えば、特許文献１及び特許文献２参照）。このノイズ除去装置は、電気回路で構成したローパスフィルタなどとは異なり、ケーブル上に後付け可能なことから、広く使用されている。
【０００３】
【特許文献１】特開２００５−０１１９６１号公報
【特許文献２】特開２００６−１４７７９６号公報
【発明の開示】
【発明が解決しようとする課題】
【０００４】
ケーブルには、それが使用される用途等により、又は、当該ケーブルと共に使用される製品の規格等により、様々な太さを有するものが存在している。しかしながら、特許文献１や特許文献２に記載されたノイズ除去装置を含む従来のノイズ除去装置は、構造上、それぞれ固有の太さのケーブルにしか対応しえない。従って、特許文献１や特許文献２のような従来技術によると、ケーブルの太さごとに、異なるサイズ・形状を有するノイズ除去装置を用意しなくてはならない。
【０００５】
そこで、本発明は、複数の太さのケーブルに対応可能なノイズ除去装置を提供することを目的とする。
【課題を解決するための手段】
【０００６】
本発明によれば、第１のノイズ除去装置として、所定方向に延びるケーブルの周囲に取り付けられるノイズ除去装置であって：前記ケーブルを収容可能な凹部を有する第１磁気コアと；該凹部に挿入されることにより、該第１磁気コアと前記ケーブルを挟む役割を果たす第２磁気コアと；前記第２磁気コアを前記第１磁気コアに挿入した状態を維持するためのホルダ部材と；を備えるノイズ除去装置が得られる。
【０００７】
また、本発明によれば、第２のノイズ除去装置として、第１のノイズ除去装置において、前記第１磁気コアの前記凹部は、前記所定方向に直交する面内において少なくとも底部が曲線を呈するような断面形状を有している、ノイズ除去装置が得られる。
【０００８】
また、本発明によれば、第３のノイズ除去装置として、第２のノイズ除去装置において、前記第１磁気コアの前記凹部は、所定Ｒで規定されるような曲面を底部に有するものであり、前記第２磁気コアのうち前記第１磁気コアと共に前記ケーブルを挟持することとなる部分は前記所定Ｒと同一のＲで規定された曲面を有している、ノイズ除去装置が得られる。
【０００９】
また、本発明によれば、第４のノイズ除去装置として、第１乃至第３のノイズ除去装置のいずれかにおいて、前記第１磁気コア及び前記第２磁気コアの少なくともいずれか一方は、前記ケーブルと接する部分に滑り止め加工を施してなるものである、ノイズ除去装置が得られる。
【００１０】
また、本発明によれば、第５のノイズ除去装置として、第１乃至第４のノイズ除去装置のいずれかにおいて、前記第１磁気コアは、前記所定方向に直交する面内において、略円形状の外形を有する、ノイズ除去装置が得られる。
【００１１】
また、本発明によれば、第６のノイズ除去装置として、第１乃至第４のノイズ除去装置のいずれかにおいて、前記第１磁気コアは、前記所定方向に直交する面内において、略楕円状の外形を有する、ノイズ除去装置が得られる。
【００１２】
また、本発明によれば、第７のノイズ除去装置として、第１乃至第６のノイズ除去装置のいずれかにおいて、前記第１磁気コアは、複数の磁性体ブロックからなる、ノイズ除去装置が得られる。
【００１３】
また、本発明によれば、第８のノイズ除去装置として、第１乃至第７のノイズ除去装置のいずれかにおいて、前記第１磁気コア及び前記第２磁気コアは、いずれもフェライトからなる、ノイズ除去装置が得られる。
【００１４】
また、本発明によれば、第９のノイズ除去装置として、第１乃至第８のノイズ除去装置のいずれかにおいて、前記ホルダ部材は、第１収容部及び第２収容部からなり、前記第１収容部と前記第２収容部に前記第１磁気コア及び前記第２磁気コアを少なくとも部分的に収容した状態で前記第１収容部と前記第２収容部を組み合わせてなるケースである、ノイズ除去装置が得られる。
【００１５】
また、本発明によれば、第１０のノイズ除去装置として、第９のノイズ除去装置において、前記第１収容部及び前記第２収容部の一方は、前記第１磁気コア及び／又は前記第２磁気コアと対向する部分に、前記第１収容部及び前記第２収容部の他方に向けて該第１磁気コア及び／又は前記第２磁気コアを付勢する付勢手段が設けられている、ノイズ除去装置が得られる。
【００１６】
また、本発明によれば、第１１のノイズ除去装置として、第１０のノイズ除去装置において、前記第１収容部及び前記第２収容部は、夫々、中空部を有する円筒又は箱をその中心軸を通る平面にて切断して得られるような形状を有しており、前記第１収容部及び前記第２収容部の少なくとも一方には、前記所定方向に延びるスリットの対が少なくとも１対形成されており、該１対のスリットで挟まれる部分は前記中空部内に向かって湾曲する湾曲部を構成されており、該湾曲部は前記付勢手段として機能する、ノイズ除去装置が得られる。
【００１７】
更に、本発明によれば、第１２のノイズ除去装置として、第９乃至第１１のノイズ除去装置のいずれかにおいて、前記第１収容部と前記第２収容部とは互いに係止する係止爪であって前記所定方向と直交する方向における相対距離を調整可能な係止爪を備えている、ノイズ除去装置が得られる。
【発明の効果】
【００１８】
本発明によれば、凹部を有する第１磁気コアと、凹部に挿入されることで第１磁気コアと共にケーブルを挟持する第２磁気コアとを備えていることから、様々な太さのケーブルに対応することができる。
【発明を実施するための最良の形態】
【００１９】
（第１の実施の形態）
図１及び図２に示されるように、本実施の形態によるノイズ除去装置は、ケーブル５０を収容するための凹部３０を有する第１磁気コア１０と、第１磁気コア１０の凹部に挿入可能に形成された第２磁気コア２０と、ケース９０とで構成されている。本実施の形態における第１磁気コア１０及び第２磁気コア２０は共にフェライトからなる。
【００２０】
第１磁気コア１０は、ｙ方向に直交するｘｚ平面内において、略Ｃ形状の外形を有している。凹部３０は、Ｙ方向に直交する断面において、所定Ｒ（曲率半径）で規定されるような曲面を底部に有している。
【００２１】
第２磁気コア２０は、第１磁気コア１０の凹部３０の所定Ｒと同一のＲで規定された曲面４０を有している。本実施の形態において、第２磁気コア２０は、凹部３０上にケーブル５０を通した上で、曲面４０と凹部３０が向かい合うようにして第１磁気コアに挿入される。これにより、ケーブル５０は、凹部３０及び曲面４０に挟まれる。
【００２２】
ケース９０は、中空部を有する円筒をその中心軸を通る平面にて切断して得られるような形状を有する第１収容部１００及び第２収容部２００を備えている。第１収容部１００及び第２収容部２００の夫々は、側面１０１、１０２、２０１及び２０２を有しており、側面１０１、１０２、２０１及び２０２の夫々には、半円形状の孔１１１、１１２、２１１及び２１２が形成されている。本実施の形態におけるケース９０は、ケース９０を閉じた状態において、側面１０１及び側面２０１と、側面１０２及び側面２０２とが夫々合わさることによりケース９０の側面となり、孔１１１及び孔２１１と、孔１１２及び孔２１２とが夫々合わさることにより、円形のケーブル挿入用孔となる。
【００２３】
本実施の形態において、第１磁気コア及び第２磁気コアは、ケーブル５０を挟持した状態で第１収容部１００及び第２収容部２００からなるケース９０内に収容される。この状態において、ケーブル５０は、ケース９０ケーブル挿入用穴孔に挿入される。図２から理解されるように第２磁気コア２０の曲面４０と第１磁気コア１０の凹部３０との間の距離を調整可能であることから、第１磁気コア１０及び第２磁気コア２０によって挟持するケーブルの径が変わったとしても対応することができる。即ち、本実施の形態によるノイズ除去装置は、凹部３０に収容可能なケーブルであれば様々な太さのケーブルに対応することができる。
【００２４】
（第２の実施の形態）
次に、図３乃至図５を参照しながら、本発明の第２の実施の形態によるノイズ除去装置
について説明する。なお、本実施の形態において、第１の実施の形態と重複する部分については説明を省略する。本実施の形態によるノイズ除去装置は、第１磁気コア１０がＹ方向に直交する面内において略楕円状の外形を有している点を除き、第１の実施の形態と同様である。かかる構成を備えるノイズ除去装置は、前述した第１の実施の形態によるノイズ除去装置と同様の効果を奏することができる。
【００２５】
また、図３に示されるようなＹ方向に直交する面内において楕円形状の断面を持つケーブル５１や、図４に示されるようなＹ方向に直交する面内において四角形の断面を持つケーブル５２にも対応することができる。更には、図５に示されるようなＹ方向に直交する面内においてそれぞれ略円形状の断面を持つケーブル５３を複数本同時に収容することも可能である。即ち、本実施の形態によれば、ケーブル５０の断面形状が変わった場合や、ケーブル５０が複数本ある場合であっても、凹部３０に収容可能であれば、様々な種類のケーブルに対応することができる。なお、この点は、前述の第１の実施の形態の場合も同様である。
【００２６】
（第３の実施の形態）
続いて、図６を参照しながら本発明の第３の実施の形態によるノイズ除去装置について説明する。なお、本実施の形態においても、第１の実施の形態と重複する部分については説明を省略する。本実施の形態による第１磁気コア１０及び第２磁気コア２０は、凹部３０及び曲面４０に夫々滑り止め加工６０を施してなるものである。その他の構成は第１の実施の形態と同様である。これにより、第１磁気コア１０と第２磁気コア２０によって、より強固にケーブル５０を挟持することができ、挟持されたケーブル５０が、ｙ方向に滑ってしまうことを防止できる。
【００２７】
（第４の実施の形態）
次に、本発明の第４の実施の形態によるノイズ除去装置について図７Ａ及び図７Ｂを参照しながら説明する。本実施の形態によるノイズ除去装置は、ケース９０の第２収容部２００が異なる構成を備えている点を除き、前述した第１の実施の形態と同様である。従って、本実施の形態において、第１の実施の形態と重複する部分については説明を省略する。本実施の形態によるケース９０の第２収容部２００には、ケーブル５０の延びる方向と同じ方向に延びるスリット対２２０が形成されており、スリット対２２０で挟まれる部分が収容部２００の中空部内に向かって湾曲する湾曲部２２１を構成している。かかる構造を有するケース９０を用いると、第１磁気コア１０及び第２磁気コア２０をケース９０に収納した際に、第２磁気コア２０が湾曲部２２１によって第１磁気コア１０の凹部３０に向けて付勢される。これにより、第１磁気コア１０と第２磁気コアがケーブル５０を挟持した状態を保つことができる。
【００２８】
（第５の実施の形態）
続いて、図８及び図９Ａ及び図９Ｂを参照しながら本発明の第５の実施の形態によるノイズ除去装置について説明する。なお、本実施の形態においても、第１の実施の形態と重複する部分については説明を省略する。本実施の形態において、第１磁気コア１０は、複数の磁性体ブロックからなるものであり、それに関連して、ケース９０の第２収容部２００の構造にも変形を加えてある。その他の構成は第１の実施の形態と同様である。
【００２９】
図８に示されるように、第１磁気コア１０は、Ｙ方向に直交する面内において略扇形状の断面を持つブロック１１及びブロック１２、並びに略半円形の断面を持つブロック１３からなる。本実施の形態において、凹部３０は、ブロック１３に形成された曲面を挟むようにしてブロック１１及びブロック１２を配置することで、ブロック１１〜１３により形成されている。
【００３０】
図９Ａ及び図９Ｂに示されるように、ケース９０の第２収容部２００には、第４の実施の形態と同様に、湾曲部２２１が設けられている。更に、本実施の形態による第２収容部２００では、湾曲部２２１と同様の湾曲部２２２及び湾曲部２２４が湾曲部２２１を挟むようにして形成されている。これにより、第１磁気コア１０及び第２磁気コア２０をケース９０に収容すると、ブロック１１が湾曲部２２２によって第２磁気コア２０及びブロック１３方向に付勢され、ブロック１２が湾曲部２２４によって第２磁気コア２０及びブロック１３方向に付勢される。このようにして、本実施の形態による第１磁気コア１０及び第２磁気コア２０は、挟持されたケーブル５０に対して互いに密着するようにして押し付けられる。
【００３１】
第１の実施の形態によるノイズ除去装置においては、第２磁気コア２０が第１磁気コア１０へ円滑に挿入されるように、第１磁気コア１０及び第２磁気コアの接合面に若干の隙間が設けられている。このため、第１磁気コア１０と第２磁気コア２０間にギャップが形成される。これに対して、本実施の形態においては、複数の湾曲部２２１，２２２，２２４を形成した第２収容部２００を備えたケースを用い、ブロック１１、ブロック１２、ブロック１３及び第２磁気コア２０を互いに密着させるようにして、ケーブル５０を保持している。従って、本実施の形態によると、より優れたノイズ除去特性を有するノイズ除去装置を構成することができる。
【００３２】
（第６の実施の形態）
図１０に示されるように、本発明の第６の実施の形態によるケース９０の収容部１００は複数の係止爪１３０を有しており、第２収容部２００も複数の係止爪２３０を有している。本実施の形態におけるケース９０は、係止爪１３０及び２３０が互いに係止することで第１磁気コア１及び第２磁気コア２０によるケーブル５０を挟持した状態を保つ。ここで、係止爪１３０及び係止爪２３０は、夫々、係止可能な溝を複数有しており、係止する溝を選択することにより、係止爪１３０と係止爪２３０を係止させた状態における第１収容部１００と第２収容部２００のｚ方向における相対位置関係を調整することができる。従って、本実施の形態によるケース９０を用いると、様々な太さのケーブル５０に対応することができる。
【００３３】
（第７の実施の形態）
図１１に示されるように、本発明の第７の実施の形態によるノイズ除去装置は、前述の第６の実施の形態によるノイズ除去装置の変形例である。詳しくは、本実施の形態においては、第１磁気コア１０の形状を工夫することにより、第１収容部１００を省略することとしている。
【００３４】
具体的には、本実施の形態による第１磁気コア１００には、係止部１４が形成されている。本実施の形態によるノイズ除去装置においては、係止爪２３０のうち、係止爪２３０の付け根２３１と係止部１４が係止することでケーブル５０を挟持した状態を維持することができる。なお、本実施の形態における第二収容部２００は、付け根２３１を構成する構造のみを有していればよく、その他の溝を省略することとしてもよい。
【００３５】
以上説明してきた実施の形態によるノイズ除去装置については、様々な変形等が可能である。例えば、上述した実施の形態において第１磁気コア及び第２磁気コアはフェライトからなるものであったが、金属系のコアやアモルファスコアなどを用いることとしてもよい。また、ケースの材料としては、プラスチックや弾性を有する金属などを用いることができる。更には、上述した実施の形態においては、第１磁気コアと第２磁気コアとでケーブルを挟持した状態を保つためにケースを用いることとしているが、第１磁気コアと第２磁気コアとでケーブルを挟持した状態を保つことが可能な限り、他のホルダ部材を用いることとしてもよい。
【図面の簡単な説明】
【００３６】
【図１】本発明の第１の実施の形態によるノイズ除去装置を示す図である。
【図２】本発明の第１の実施の形態による第１磁気コア及び第２磁気コアのｙ方向に垂直な断面図である。
【図３】本発明の第２の実施の形態によるノイズ除去装置を扁平導線に用いた状態を示す図である。
【図４】本発明の第２の実施の形態によるノイズ除去装置を角型導線に用いた状態を示す図である。
【図５】本発明の第２の実施の形態によるノイズ除去装置を複数の導線に用いた状態を示す図である。
【図６】本発明の第３の実施の形態によるノイズ除去装置を示す図である。
【図７Ａ】本発明の第４の実施の形態によるノイズ除去装置のケースのｙ方向に垂直な断面図である。
【図７Ｂ】図７ＡのＡ−Ａ断面図である。
【図８】本発明の第５の実施の形態によるノイズ除去除去装置のケースのｙ方向に垂直な断面図である。
【図９Ａ】本発明の第５の実施の形態によるノイズ除去装置のケースのｙ方向に垂直な断面図である。
【図９Ｂ】図９ＡのＡ−Ａ断面図である。
【図１０】本発明の第６の実施の形態によるノイズ除去装置を示す図である。
【図１１】本発明の第７の実施の形態によるノイズ除去装置を示す図である。
【符号の説明】
【００３７】
１０        第１磁気コア
１１        ブロック
１２        ブロック
１３        ブロック
１４        係止部
２０        第２磁気コア
３０        凹部
４０        曲面
５０        ケーブル
５１        楕円ケーブル
５２        角ケーブル
５３        複数本ケーブル
６０        滑り止め加工
９０        ケース
１００        第１収容部
１０１、１０２、２０１、２０２        側面
１１１、１１２、２１１、２１２        半円形状の孔
１３０        係止爪
２００        第２収容部
２２０        スリット対
２２１，２２２，２２４        湾曲部
２３０        係止爪
２３１        付け根
【図１】
2009094373.tif 000003
【図２】
2009094373.tif 000004
【図３】
2009094373.tif 000005
【図４】
2009094373.tif 000006
【図５】
2009094373.tif 000007
【図６】
2009094373.tif 000008
【図７Ａ】
2009094373.tif 000009
【図７Ｂ】
2009094373.tif 000010
【図８】
2009094373.tif 000011
【図９Ａ】
2009094373.tif 000012
【図９Ｂ】
2009094373.tif 000013
【図１０】
2009094373.tif 000014
【図１１】
2009094373.tif 000015